(57)【要約】【課題】映像機器間の映像信号の位相差を極小にすることが可能な同期制御装置を提供する。【解決手段】位相差検出部４０が映像機器Ｖ１〜Ｖｎから出力された映像信号間の位相差を検出し、これに基づいて制御部５０が映像機器Ｖ１〜Ｖｎから出力された映像信号間で位相差が極小となるように、上記位相シフタ２１〜２ｎにそれぞれ与えるべきシフト量を演算し、この演算によって決定したシフト量をそれぞれ位相シフタ２１〜２ｎに出力する。そして、位相シフタ２１〜２ｎは、上記シフト量だけ水平同期信号および垂直同期信号の位相をシフトさせ、これと駆動クロックに基づいて同期信号生成部３１〜３ｎが、上記映像機器Ｖ１〜Ｖｎに与える同期信号をそれぞれ生成するようにしたものである。【選択図】    図１
2004289536.tif 000002
【特許請求の範囲】
【請求項１】
複数の映像機器間の同期制御を行う同期制御装置において、
前記複数の映像機器から出力される映像信号間の位相差を検出する位相差検出手段と、
この位相差検出手段が検出した位相差に基づいて、前記複数の映像機器がそれぞれ用いる同期信号の位相シフト量を求めるシフト量決定手段と、
このシフト量決定手段が求めた位相シフト量に基づいて、各映像機器で用いる同期信号を生成する同期信号生成手段とを具備することを特徴とする同期制御装置。
【請求項２】
前記同期信号生成手段は、
基準同期信号から、駆動クロック、水平同期信号および垂直同期信号を検出する同期情報検出手段と、
前記駆動クロックと前記シフト量決定手段が求めた位相シフト量とに基づいて、水平同期信号および垂直同期信号の位相をそれぞれ可変する位相可変手段と、
この位相可変手段が位相可変した水平同期信号および垂直同期信号と、前記駆動クロックとに基づいて、各映像機器で用いる同期信号を生成する信号生成手段とを備えることを特徴とする請求項１に記載の同期制御装置。
【請求項３】
前記シフト量決定手段は、オペレータからの要求に応じた位相シフト量を決定することを特徴とする請求項１または請求項２に記載の同期制御装置。
【発明の詳細な説明】
【０００１】
【発明の属する技術分野】
この発明は、例えばビデオレコーダやテレビカメラなどの映像機器間の同期制御を行う同期制御装置に関する。
【０００２】
【従来の技術】
周知のように、例えばビデオレコーダやテレビカメラなどの映像機器は、複数の機器間で共通の同期信号を基準として動作させるようにすることで、これらの映像機器から得られる映像信号を切り替えても、得られる画像に乱れることがない。
【０００３】
しかしながら、映像機器の種類や個体差などにより、機器間の映像信号の位相差を必ずしも所望の範囲内に収めることができないという問題があった。
【０００４】
【発明が解決しようとする課題】
従来では、映像機器の種類や個体差などにより、機器間の映像信号の位相差を必ずしも所望の範囲内に収めることができないという問題があった。
【０００５】
この発明は上記の問題を解決すべくなされたもので、映像機器間の映像信号の位相差を極小にすることが可能な同期制御装置を提供することを目的とする。
【０００６】
【課題を解決するための手段】
上記の目的を達成するために、この発明は、複数の映像機器間の同期制御を行う同期制御装置において、複数の映像機器から出力される映像信号間の位相差を検出する位相差検出手段と、この位相差検出手段が検出した位相差に基づいて、複数の映像機器がそれぞれ用いる同期信号の位相シフト量を求めるシフト量決定手段と、このシフト量決定手段が求めた位相シフト量に基づいて、各映像機器で用いる同期信号を生成する同期信号生成手段とを具備して構成するようにした。
【０００７】
上記構成の同期制御装置では、複数の映像機器から出力される映像信号間の位相差を検出し、この位相差に基づいて、複数の映像機器がそれぞれ用いる同期信号の位相シフト量を求め、この求めた位相シフト量に基づいて各映像機器で用いる同期信号を生成するようにしている。
【０００８】
したがって、上記構成の同期制御装置によれば、位相シフト量に応じて、映像機器から出力される映像信号の位相関係を制御できるので、上記映像信号間の位相差を極小にすることができる。
【０００９】
【発明の実施の形態】
以下、図面を参照して、この発明の一実施形態について説明する。
【００１０】
図１は、この発明の一実施形態に係わる同期制御装置１００の構成を示すものである。この同期制御装置１００は、同期情報検出部１０と、位相シフタ２１〜２ｎと、同期信号生成部３１〜３ｎと、位相差検出部４０と、制御部５０とを備える。
【００１１】
同期情報検出部１０は、基準同期信号から、駆動クロック、水平同期信号、垂直同期信号をそれぞれ検出し、それぞれ位相シフタ２１〜２ｎに出力する。なお、上記基準同期信号の一例としては、コンポジット方式用のＢＢ（Ｂｌａｃｋ  Ｂｕｒｓｔ）信号、ＨＤＴＶ方式用の３値ＳＹＮＣ信号がある。
【００１２】
位相シフタ２１〜２ｎは、駆動クロックを用いて、水平同期信号の位相を後述する制御部５０から指定される分だけシフトする。また位相シフタ２１〜２ｎは、このようにしてシフトさせた水平同期信号を用いて、垂直同期信号の位相を後述する制御部５０から指定されるシフト量分だけシフトする。そして、位相シフタ２１〜２ｎは、それぞれ対応する同期信号生成部３１〜３ｎに、駆動クロック、位相シフトさせた水平同期信号、位相シフトさせた垂直同期信号を出力する。
【００１３】
同期信号生成部３１〜３ｎは、それぞれ対応する位相シフタ２１〜２ｎから与えられた駆動クロック、水平同期信号および垂直同期信号に基づいて、同期信号を生成し、それぞれ対応する映像機器Ｖ１〜Ｖｎに出力する。
【００１４】
なお、映像機器Ｖ１〜Ｖｎとしては、ビデオレコーダ、テレビカメラなどの他に、映像信号を処理する映像信号処理装置などが考えられる。
【００１５】
位相差検出部４０は、映像機器Ｖ１〜Ｖｎより出力される映像信号に基づいて、これらの映像信号の位相を比較して位相差を検出し、この検出結果を制御部５０に出力する。
【００１６】
制御部５０は、位相差検出部４０の検出結果と、操作卓（図示しない）を通じたオペレータからの指示に基づいて、上記位相シフタ２１〜２ｎにそれぞれ与えるべきシフト量を演算し、この演算によって決定したシフト量をそれぞれ位相シフタ２１〜２ｎに出力する。
【００１７】
次に、上記構成の同期制御装置の動作について説明する。
図示しない発振器にて生成された基準同期信号は、同期情報検出部１０に入力され、ここで、駆動クロック、水平同期信号、垂直同期信号がそれぞれ検出され、それぞれ位相シフタ２１〜２ｎに出力される。
【００１８】
位相シフタ２１に出力された水平同期信号は、ここで共に入力された駆動クロックに基づいて、制御部５０から指定される分だけ位相がシフトされ、同期信号生成部３１に出力される。
【００１９】
また、位相シフタ２１に出力された垂直同期信号は、位相がシフトされた水平同期信号に基づいて、制御部５０から指定される分だけ位相がシフトされ、同期信号生成部３１に出力される。
【００２０】
なお、駆動クロックは、そのまま同期信号生成部３１に出力される。
【００２１】
また、ここで、位相シフタ２２〜２ｎにおいても、水平同期信号および垂直同期信号に対して、位相シフタ２１と同様な位相シフトが行われ、それぞれ対応する同期信号生成部３２〜３ｎに出力される。
【００２２】
そして、同期信号生成部３１〜３ｎでは、それぞれ対応する位相シフタ２１〜２ｎから与えられた駆動クロック、水平同期信号および垂直同期信号に基づいて、同期信号が生成され、それぞれ対応する映像機器Ｖ１〜Ｖｎに出力される。
【００２３】
これにより映像機器Ｖ１〜Ｖｎは、それぞれ対応する同期信号生成部３１〜３ｎから入力される同期信号に基づいて動作し、映像信号を出力する。
【００２４】
映像機器Ｖ１〜Ｖｎから出力された映像信号は、位相差検出部４０に入力され、ここで映像信号間の位相差が検出される。この検出結果は、制御部５０に出力される。
【００２５】
制御部５０は、位相差検出部４０の検出結果に基づいて、映像機器Ｖ１〜Ｖｎから出力された映像信号間で位相差が極小となるように、上記位相シフタ２１〜２ｎにそれぞれ与えるべきシフト量を演算し、この演算によって決定したシフト量をそれぞれ位相シフタ２１〜２ｎに出力する。
【００２６】
なお、制御部５０は、オペレータから指示が与えられる場合には、この指示に応じたシフト量をそれぞれ位相シフタ２１〜２ｎについて求め、このシフト量を位相シフタ２１〜２ｎに出力する。
【００２７】
以上のように、上記構成の同期制御装置では、映像機器Ｖ１〜Ｖｎから出力された映像信号間の位相差を検出し、これに基づいて水平同期信号および垂直同期信号の位相をシフトさせて、上記映像機器Ｖ１〜Ｖｎに与える同期信号をそれぞれ生成するようにしている。
【００２８】
したがって、上記構成の同期制御装置によれば、映像機器Ｖ１〜Ｖｎから出力された映像信号間に所望の位相差を与えることができるので、上記映像信号間の位相差を極小にすることができる。
【００２９】
尚、この発明は上記実施の形態に限定されるものではない。
【００３０】
その他、この発明の要旨を逸脱しない範囲で種々の変形を施しても同様に実施可能であることはいうまでもない。
【００３１】
【発明の効果】
以上述べたように、この発明では、複数の映像機器から出力される映像信号間の位相差を検出し、この位相差に基づいて、複数の映像機器がそれぞれ用いる同期信号の位相シフト量を求め、この求めた位相シフト量に基づいて各映像機器で用いる同期信号を生成するようにしている。
【００３２】
したがって、この発明によれば、位相シフト量に応じて、映像機器から出力される映像信号の位相関係を制御できるので、上記映像信号間の位相差を極小にすることが可能な同期制御装置を提供できる。
【図面の簡単な説明】
【図１】この発明に係わる同期制御装置の一実施形態の構成を示す回路ブロック図。
【符号の説明】
１０…同期情報検出部、２１〜２ｎ…位相シフタ、３１〜３ｎ…同期信号生成部、４０…位相差検出部、５０…制御部、１００…同期制御装置、Ｖ１〜Ｖｎ…映像機器。
【図１】
2004289536.tif 000003